(57)【要約】      （修正有）【課題】  不正開封を簡単に見分けることができる密閉蓋体を提供する。【解決手段】  中空容器１の口頸部１ａに嵌合、固定する嵌合筒部５，６と、該嵌合筒部の上端部に連設した頂壁部８に吐出口８ａを設けた中蓋と、前記嵌合筒部の外側に頂壁の外周縁から垂設した保護筒７とからなる蓋体本体３を形成すると共に、前記蓋体本体後側の保護筒７の上端部にヒンジ部４ａを介して外蓋４を連結して開閉可能なヒンジ蓋を形成して、内容物を収容した中空容器１の口頸部１ａに嵌合、固定可能に形成したヒンジ蓋体２に於いて、前記ヒンジ蓋体の保護筒７の前側面に外蓋４の係止片９を係止する係止孔７ａを穿設して中空容器の口頸部に装着可能なヒンジ蓋を有する開閉自在な密閉蓋体を構成する。【選択図】  図４
2006232326.tif 000002
【特許請求の範囲】
【請求項１】
中空容器の口頸部に嵌合して固定する嵌合筒部と、該嵌合筒部の上端部に連設した頂壁部に吐出口を設けた中蓋と、前記嵌合筒部の外側に頂壁の外周縁から垂設した保護筒とからなる蓋体本体を形成すると共に、前記蓋体本体後側の保護筒の上端部にヒンジ部を介して外蓋を連結して開閉可能なヒンジ蓋を形成して、内容物を収容した中空容器の口頸部に嵌合して固定可能に形成したヒンジ蓋体であって、前記ヒンジ蓋体の保護筒の前側面に外蓋に垂設した係止片を係止する係止面に係止孔を穿設して、また、前記ヒンジ蓋の前側端縁に垂設した係止片に前記保護筒の係止孔に係止する係止突起を突設すると共に、ヒンジ蓋の前側面に指掛け片を突設して、ヒンジ蓋を蓋体本体に係止可能に形成してなることを特徴とするヒンジ蓋を有する開閉自在な密閉蓋体。
【請求項２】
中空容器の口頸部に嵌合して固定する嵌合筒部と、該嵌合筒部の上端部に連設した頂壁部に吐出口を設けた中蓋と、前記嵌合筒部の外側に頂壁の外周縁から垂設した保護筒とからなる蓋体本体を形成すると共に、前記蓋体本体後側の保護筒の上端部にヒンジ部を介して外蓋を連結して開閉可能なヒンジ蓋を形成して、内容物を収容した中空容器の口頸部に嵌合して固定可能に形成したヒンジ蓋体であって、前記ヒンジ蓋体の保護筒の前側面に外蓋に垂設した係止片を係止する係止面に係止孔を穿設して、また、前記ヒンジ蓋の天板周縁部に前記中蓋の周縁に密着して嵌合する円筒体を周設して、該円筒体の下端縁に垂設した係止片に前記保護筒の係止孔に係止する係止突起を突設すると共に、ヒンジ蓋の前側面に円筒縁部に指掛け片を突設して、ヒンジ蓋を蓋体本体に係止可能に形成してなることを特徴とするヒンジ蓋を有する開閉自在な密閉蓋体。
【請求項３】
前記係止片は、上端部が前記ヒンジ蓋の前側端縁に軟質部を介して屈曲可能に接続されると共に、下端部に変形可能な指掛け部が形成されてなることを特徴とする請求項１または請求項２に記載するヒンジ蓋を有する開閉自在な密閉蓋体。
【請求項４】
前記係合片は、上端部が前記ヒンジ蓋の前側端縁に容易に破断可能な連結片により接続されると共に、下端部に変形可能な指掛け部が形成されてなることを特徴とする請求項１または請求項２に記載するヒンジ蓋を有する開閉自在な密閉蓋体。
【発明の詳細な説明】
【技術分野】
【０００１】
本願の発明は、液体等の内容物を収容した中空容器の開口部を密閉するのに適した蓋体に係わるものであり、特に、開閉蓋部がヒンジにより開閉自在に蓋体本体部に連結されると共に、蓋部が不正開封されるのを防止する機能を有する密閉蓋体に関するものである。
【背景技術】
【０００２】
ジュース等の液体飲料やその他の液状食品類を収容した各種の中空容器は、ネジ蓋や密閉栓等の色々な蓋体で開口部が密閉されているが、このような容器に於いては、使用前に容器の内容物が不正に抜き取られたり、内容物が詰め替えられたり、更には、悪戯により内容物に有害な物質が混入される等の不正開封を防止できる安全性を備えた密閉手段が要求される。
このような不正開封防止機能を備えた蓋体は、蓋体を開封する際、容易に破断可能に設けられた連結片や密封片を破断することなしに、開封できないように形成している。
【０００３】
また、一度で使い切れないような内容物を収容した容器に於いては、開封した容器を再び密閉して保存できるように開閉自在な蓋体により開口部を密閉可能にしたものが望まれる。
そのような蓋体としては、簡単に破断可能な切除部を設けた着脱自在なネジ蓋が従来から一般に使用されてきたが、このようなネジ蓋は開閉する際にやや面倒に感ずることから、密閉蓋部分が開閉自在に蓋体本体部分にヒンジ連結されたヒンジ蓋体が多く用いられるようになってきたが、このようなヒンジ蓋体についても不正開封を防止できる機能が求められるようになっている。
【０００４】
そこで、このような要望に応えるものとして、実公平２−２１４０６号公報や実開平２−４００５３号公報、実開平４−６０８６６号公報等に見られるように、開閉が容易なヒンジ蓋体に於いて、蓋部を開閉するには蓋体本体の側壁部の一部を切除しなければならないようにしたり、蓋部の係止部を容易に破断可能にした係止片に離脱不能に係合せしめる不正開封防止片を設けておいて、不正開封が行われたものは容易に見分けられるようにして、容器の不正開封を防止したものが知られている。
【０００５】
しかし、上記したような構造をしたヒンジ蓋体は、指掛け片や係止片等の突起部を大きくすると、容器に対して閉蓋作業を行う際に、不正開封防止片が亀裂を生じたり、破断したりする恐れがあり、また、突起部を小さくしたり弾性変形し易くすると、不正開封防止片が破断せずに開封される恐れがある。
そこで、容器に対して閉蓋作業を行う際に、蓋体の不正開封防止片に亀裂や破断が生ずる恐れがなくて、見栄えが良くて、構造が簡単なヒンジ蓋体を、出願人は実開平４−３０４０１号公報や実開平５−３４１４９号公報等に見るような考案を提案している。
【０００６】
上記の考案は、図９に示すように、中空容器２１の口頸部に嵌合、固定する嵌合筒部２３と、該嵌合筒上端部の頂壁２５に吐出口２５ａを設けた中蓋部と、前記頂壁の外周端に垂設した外筒部２４とからなる蓋体本体２６を形成して、前記蓋体本体前方の外筒部２４の側壁と頂壁２５の一部を切り欠いた凹部２７の両側板に係合ピン２７ａを、内筒面に係止突起２３ａをそれぞれ設けて、外蓋２８を密閉、係止可能に形成すると共に、前記蓋体本体２６後方の外筒部２４の上端部に薄肉のヒンジ部２８ａを介して外蓋２８を連結して、前記中蓋部に開閉自在に嵌合、密着可能な構造をしたヒンジ蓋体２２に形成したものである。
そして、前記外蓋２８は、その前部下端に破断部２９ａを介して回動部材２９を垂設すると共に、該回動部材２９の両側面に前記切り欠き凹部２７の係合ピン２７ａを係合するピン穴２９ｂと、前記係止突起２３ａに係止する係止片２８ｂを設けて、外蓋を蓋体本体の欠き凹部に係止可能に形成されたものである。
【０００７】
上記のような構造をしたヒンジ蓋体２２は、熱可塑性合成樹脂の射出成形により一体に成形されて、前記外蓋２８を閉じると共に回動部材２９を前記蓋体本体２６の切り欠き凹部の係合ピン２７ａに係止したものを、図８に示すように、各種の液状物を収容した中空容器２１の口頸部に嵌着せしめて、開閉自在な蓋部を有する液体注出容器を構成する。
このような構成にした液体注出容器は、図８に示す状態の回動部材２９の下端部分を内側へ押し込むことにより、回動部材２９は破断部２９ａで切断されると同時に前記係止片２８ｂを押し上げて、外蓋２８は上方へ開放されて注出可能になる。
【０００８】
上記のような構造をしたヒンジ蓋体２２を装着した液体注出容器は、回動部材２９の存否により不正開封を簡単に見分けることが可能であり、また、外蓋２８部分を容易に開閉できて便利ではあるが、ヒンジ蓋体２２の構造がやや複雑であるから、製造工程に手間がかかり、これ以上の製造コストの低減は困難になり、もう少し簡単な構造をしたものが望まれる。
【発明の開示】
【発明が解決しようとする課題】
【０００９】
中空容器の口頸部に装着するヒンジ蓋体を、蓋部の開閉を容易に行うことができるようにすると共に、不正開封が行われたものは簡単に見分けることができるような構造に形成して、また、従来のヒンジ蓋体に比べてその構造を簡単にすることにより、ヒンジ蓋体を製造する工程における手間をできるだけかからないようにして、製造コストの低減を計ることができるようにすると共に、ヒンジ蓋体を中空容器の口頸部に装着する際に、破損させずに簡単に装着できるような構造にしたヒンジ蓋体を提供する。
【課題を解決するための手段】
【００１０】
本願発明は、液状物を収容した中空容器の口頸部に嵌合、固定する内外筒の嵌合筒部と、該嵌合筒部の上端に連設した頂壁部に吐出口を設けた中蓋部と、前記嵌合筒部の外側に頂壁の外周縁から垂設した保護筒部とからなる蓋体本体を形成すると同時に、前記外筒部の前側面に外蓋を係止する係止孔を形成する。
また、前記蓋体本体の外筒部後側の上端部にヒンジ部を介して外蓋を連結して開閉自在なヒンジ蓋を形成すると共に、前記外蓋の前端縁に係合片を垂設して前記保護筒部前側面の係止孔に係止可能に形成する。
そして、上記のような蓋体本体とヒンジ蓋とが開閉自在に連結されたヒンジ蓋体を熱可塑性合成樹脂の射出成形により一体に成形して、中空容器の口頸部に嵌着あるいは螺着可能に構成する。
【発明の効果】
【００１１】
本願発明のヒンジ蓋体は、ヒンジ蓋体の構造を簡単にしたので、製造工程の手間が減少し、その製造コストの低減を可能にすることができると共に、ヒンジ蓋体を中空容器の口頸部に装着するのが容易である。
そして、中空容器の口頸部に装着されたヒンジ蓋体が、開封されたか否かが簡単に見分けることができて、また、ヒンジ蓋体の開閉蓋は容易に開閉することができる。
【発明の実施の形態】
【００１２】
本願発明は、図１に示すように、中空容器１の口頸部１ａに螺着する蓋体本体３と該蓋体本体にヒンジ部４ａを介して外蓋４を開閉自在に連結したヒンジ蓋とを、熱可塑性合成樹脂の射出成形により一体に成形して、液状物を収容した中空容器１の口頸部１ａに螺着する開閉自在な密閉蓋部を有するヒンジ蓋体２を形成する。
そして、前記ヒンジ蓋体２の蓋体本体３が中空容器１の口頸部１ａに嵌合、固定される嵌合筒部は、図３に示すように、口頸部１ａの内周面に密着、嵌合する内筒５と口頸部の外周面に密着、嵌合する外筒６との内外筒からなり、前記内外筒の上端部に連設された頂壁部８に吐出口８ａを設けて中蓋が形成されて、更に、前記頂壁部８の外周縁に保護筒７を垂設して蓋体本体３を形成すると共に、前記蓋体本体の保護筒７前側面に外蓋４を係止する係止孔７ａを形成する。
【００１３】
また、前記蓋体本体３の後側部にヒンジ部４ａを介して外蓋４を連結して、外蓋４の天板内面には栓体４ｂを突設して前記中蓋の吐出口８ａに密着、嵌合可能に形成すると共に、天板周縁部には円筒体４ｃを周設して前記中蓋に密着、嵌合可能に形成して、更に、前記外蓋４前側の円筒体４ｃの下端部に軟質部４ｅを介して前記保護筒の係止孔に係止可能な係合突起を設けた係止片を連設して、開閉自在なヒンジ蓋に形成する。
そして、上記のように形成されたヒンジ蓋体２は、液状物を収容した中空容器１の口頸部１ａに螺着されて、図１に示すように、開閉自在な蓋部を備えた液体注出容器に構成される。
【実施例】
【００１４】
以下に、本願発明について、最適な一つの実施例に基づいて図面を参照しつつ説明する。
液状物を収容した中空容器１の口頸部１ａに嵌合および螺着して固定される嵌合筒部を有する蓋体本体３と、該蓋体本体にヒンジ部４ａを介して外蓋４を開閉自在に連結したヒンジ蓋を、熱可塑性合成樹脂の射出成形により一体に成形にして、図１に示すような液状物を収容した中空容器１の口頸部１ａに装着して容易に開閉自在な密閉蓋部を有するヒンジ蓋体２を形成する。
【００１５】
上記した蓋体本体３は、中空容器１の口頸部１ａの内周面に密着して嵌合する内筒５と口頸部の外周面に密着して螺合する外筒６との内外二重筒から嵌合筒部を形成すると共に、前記嵌合筒部の上端に連設した頂壁部８に吐出口８ａを突設してなる中蓋を形成して、更に、前記嵌合筒部の外側に前記頂壁部８の外周縁から垂設して保護筒７を形成すると共に、前記保護筒７の前側面に外蓋４を係止する係止孔７ａを形成して、中空容器１の口頸部１ａに密着、嵌合可能に形成される。
そして、前記蓋体本体３の保護筒７の後側の上端部にヒンジ部４ａを介して外蓋４を連結して、開閉自在なヒンジ蓋に形成すると共に、前記外蓋４の前端縁に係止片９を垂設して前記保護筒７前側面の係止孔７ａに係止可能な係合突起９ａを形成して、更に、外蓋４の前周面に開閉操作用の指掛け片４ｄを設けて、液状物を収容した中空容器１の口頸部１ａに密着、嵌合可能なヒンジ蓋体２を構成する。
【００１６】
上記したように蓋体本体３と外蓋４とを開閉自在に連結して形成されたヒンジ蓋体２を、熱可塑性合成樹脂の射出成形により一体に成形して、中空容器１の口頸部１ａに螺着可能に形成すると同時に、前記外蓋４の天板内面には栓体４ｂを突設して前記中蓋の吐出口８ａに密着、嵌合可能に形成すると共に、天板周縁部には円筒体４ｃを周設して前記中蓋に密着、嵌合可能に形成して、更に、前記外蓋４前側の円筒体４ｃの下端部に軟質部４ｅを介して係止片９を連設して、係合突起９ａを前記保護筒７の係止孔７ａに係止可能に設けて、前記中蓋に開閉自在に被着可能なヒンジ蓋に形成する。
【００１７】
上記のように形成されたヒンジ蓋体２が、図１に示すように、液状物を収容した中空容器１の口頸部１ａに螺着された液体注出容器から内容物を注出して使用するには、図４に示すように、下端部は変形可能な連結部９ｄを介して指掛け片９ｂに形成されているので、外蓋４の円筒体４ｃの下端に連設した係止片９の下端部の指掛け片９ｂを上方へ引き上げると、係合突起９ａが保護筒７の係止孔７ａから外れて、外蓋４は開封可能になるので、指掛け片４ｄに指先を当てて押し上げることにより、栓体４ｂが吐出口８ａから外れて外蓋４が開放されて、容器本体を傾けることにより内容物を注出して使用することができる。
【００１８】
このようにして、内容物を注出して使用が終わったら、再び外蓋４を閉じることにより、栓体４ｂは吐出口８ａに嵌合されて吐出口８ａが塞がれるので、図３に示すように、係止片９を押下げて、係合突起９ａを保護筒７の係止孔７ａに係合せしめると、ヒンジ蓋体２は元の状態に密閉される。
【００１９】
尚、上記した実施例に於いては、図３および４に示すように、ヒンジ蓋体２は内外二重筒からなる嵌合筒部の外筒の内面に設けたネジ部により中空容器１の口頸部１ａに螺着して固定されて、また、外蓋４の係止片９は円筒体４ｃの下端に軟質部４ｅを介して連設されて着脱可能に固定されたが、本願発明に於いてはこのような形状や構造に限定されるものではない。
【００２０】
例えば、図５および６に示すように、外蓋４の係止片９を円筒体４ｃの下端に容易に破断可能な連結片９ｃにより連設しておいて、液体注出容器から内容物を注出して使用する際に、図６に示すように、外蓋４の円筒体４ｃの下端に連設した係止片９の下端部を上方へ引き上げると、図７に示すように、係合突起９ａが保護筒７の係止孔７ａから外れて、破断可能な連結片９ｃが破断されて、係止片９は外蓋４から分離されて、外蓋４は開封可能になるようにしてもよいし、また、ヒンジ蓋体２は内外二重筒により単に嵌合して固定されてもよいし、外筒のみで螺合あるいは嵌合して固定されるようにしてもよい。
【００２１】
上記した図２〜４に示すような第１の実施例に於いては、外蓋４に連設した係止片９は、破断して分離することはないので、内容物を注出して使用した後で、再び元のように係止片９を保護筒７の係止孔７ａに係合せしめて密閉することが可能であるが、不正開封を防止するには、保護シールやラベル等により係止片９を密封しておくことが必要である。
【００２２】
また、図５〜７に示すような第２の実施例に於いては、外蓋４に連設した係止片９は、破断して分離するので、不正開封を容易に確認することができるが、内容物を注出して使用した後で再び密封しても、元の状態に戻すことはできないが、外蓋４は栓体４ｂと吐出口８ａとが密着、嵌合するのに加えて、円筒体４の内周面が中蓋に密着して固定される。
【図面の簡単な説明】
【００２３】
【図１】本願発明のヒンジ蓋体を装着した液体容器を示す斜視図である。
【図２】図１に示すヒンジ蓋体部分の正面図である。
【図３】図２に示すヒンジ蓋体の断面図である。
【図４】図３に示すヒンジ蓋体の係合片を解除する際の断面図である。
【図５】係合片を破断可能に形成したヒンジ蓋体部分の正面図である。
【図６】図５に示すヒンジ蓋体の断面図である。
【図７】図６に示すヒンジ蓋体の係合片を切除した際の断面図である。
【図８】本願発明の先行技術例を示す斜視図である。
【図９】図８に示すヒンジ蓋体が成形されたものの断面図である。
【符号の説明】
【００２４】
１．    中空容器
１ａ．  口頸部
２．    ヒンジ蓋体
３．    蓋体本体
４．    外蓋
４ａ．  ヒンジ部
４ｂ．  栓体
４ｃ．  円筒体
４ｄ．  指掛け片
４ｅ．  軟質部
５．    内筒
６．    外筒
７．    保護筒
７ａ．  係止孔
８．    頂壁部
８ａ．  吐出口
９．    係止片
９ａ．  係合突起
９ｂ．  指掛け片
９ｃ．  連結片
９ｄ．  連結部
【図１】
2006232326.tif 000003
【図２】
2006232326.tif 000004
【図３】
2006232326.tif 000005
【図４】
2006232326.tif 000006
【図５】
2006232326.tif 000007
【図６】
2006232326.tif 000008
【図７】
2006232326.tif 000009
【図８】
2006232326.tif 000010
【図９】
2006232326.tif 000011